【手続補正書】
【提出日】令和1年8月16日(2019.8.16)
【手続補正１】
【補正対象書類名】特許請求の範囲
【補正対象項目名】全文
【補正方法】変更
【補正の内容】
【特許請求の範囲】
【請求項１】
無線通信システムにおける端末の方法であって、
ＰＵＳＣＨ（ｐｈｙｓｉｃａｌ  ｕｐｌｉｎｋ  ｓｈａｒｅｄ  ｃｈａｎｎｅｌ）−ＰＵＣＣＨ（ｐｈｙｓｉｃａｌ  ｕｐｌｉｎｋ  ｃｏｎｔｒｏｌ  ｃｈａｎｎｅｌ）同時伝送に関連したＰＵＣＣＨ設定情報を受信する段階と、
ＰＨＲ（ｐｏｗｅｒ  ｈｅａｄｒｏｏｍ  ｒｅｐｏｒｔ）のトリガーを判断する段階と、
前記ＰＨＲがトリガーされると、
第１アップリンク最大送信電力に基づいてＰＣｅｌｌ（ｐｒｉｍａｒｙ  ｃｅｌｌ）のためのｔｙｐｅ  １  ＰＨ（ｐｏｗｅｒ  ｈｅａｄｒｏｏｍ）を決定し、第２アップリンク最大送信電力に基づいて前記ＰＣｅｌｌのためのｔｙｐｅ  ２  ＰＨを決定し、第３アップリンク最大送信電力に基づいてＳＣｅｌｌ（ｓｅｃｏｎｄａｒｙ  ｃｅｌｌ）のためのｔｙｐｅ  １  ＰＨを決定する段階と、を含み、
前記ＰＣｅｌｌのサブフレームで前記ＰＵＣＣＨを送信し、前記ＰＵＳＣＨを送信しないと、前記第１アップリンク最大送信電力は、バックオフパラメータを０として適用して決定し、前記第２アップリンク最大送信電力は、実際のバックオフパラメータを適用して決定し、
前記ＳＣｅｌｌのサブフレームで前記ＰＵＳＣＨを送信しないと、前記第３アップリンク最大送信電力は、前記バックオフパラメータを０として適用して決定する方法。
【請求項２】
前記ＰＣｅｌｌのための前記ｔｙｐｅ  ２  ＰＨは、前記ＰＵＳＣＨ−ＰＵＣＣＨ同時伝送に関連したＰＵＳＣＨ設定情報が設定されると、計算することを特徴とする、請求項１に記載の方法。
【請求項３】
前記バックオフパラメータは、ＭＰＲ（ｍａｘｉｍｕｍ  ｐｏｗｅｒ  ｒｅｄｕｃｔｉｏｎ）又はＡ−ＭＰＲ（ａｄｄｉｔｉｏｎａｌ  ＭＰＲ）のうち少なくとも一つを含むことを特徴とする、請求項１に記載の方法。
【請求項４】
前記端末が前記ＰＣｅｌｌのサブフレームで前記ＰＵＳＣＨ及び前記ＰＵＣＣＨをすべて送信しないと、バックオフパラメータを０として適用し、前記第１アップリンク最大送信電力及び前記第２アップリンク最大送信電力を決定することを特徴とする、請求項１に記載の方法。
【請求項５】
前記端末が前記ＰＣｅｌｌのサブフレームで前記ＰＵＳＣＨを送信して前記ＰＵＣＣＨを送信しないと、実際のバックオフパラメータを適用し、前記第１アップリンク最大送信電力及び前記第２アップリンク最大送信電力を決定することを特徴とする、請求項１に記載の方法。
【請求項６】
前記端末が前記ＰＣｅｌｌのサブフレームで前記ＰＵＳＣＨと前記ＰＵＣＣＨを送信すると、前記ＰＣｅｌｌのための前記ｔｙｐｅ  ２  ＰＨは、前記ＰＵＳＣＨと前記ＰＵＣＣＨとの実際の送信電力に基づいて獲得され、
前記端末が前記ＰＣｅｌｌのサブフレームで前記ＰＵＣＣＨは送信せず前記ＰＵＳＣＨは送信すると、前記ＰＣｅｌｌのための前記ｔｙｐｅ  ２  ＰＨは、前記ＰＵＳＣＨの実際の送信電力及び前記ＰＵＣＣＨの仮想送信電力に基づいて獲得され、
前記端末が前記サブフレームで前記ＰＵＳＣＨを送信しないと、前記ＰＣｅｌｌのための前記ｔｙｐｅ  ２  ＰＨは、前記ＰＵＳＣＨの仮想送信電力に基づいて獲得されることを特徴とする、請求項１に記載の方法。
【請求項７】
前記ＰＵＳＣＨの仮想送信電力又は前記ＰＵＣＣＨの仮想送信電力は、ＭＰＵＳＣＨ及びΔＴＦを０に設定して計算することを特徴とする、請求項１に記載の方法。
【請求項８】
ＰＨＲ周期タイマーが満了する場合、
ＰＨＲ禁止タイマーが満了し、ダウンリンクの経路損失が臨界値以上に変更される場合、又は
拡張ＰＨＲ設定後、アップリンク資源が割り当てられる場合、
前記ＰＨＲがトリガーされることを特徴とする、請求項１に記載の方法。
【請求項９】
無線通信システムの端末において、
送受信部と、
前記送受信部と連結され、ＰＵＳＣＨ（ｐｈｙｓｉｃａｌ  ｕｐｌｉｎｋ  ｓｈａｒｅｄ  ｃｈａｎｎｅｌ）−ＰＵＣＣＨ（ｐｈｙｓｉｃａｌ  ｕｐｌｉｎｋ  ｃｏｎｔｒｏｌ  ｃｈａｎｎｅｌ）同時伝送に関連したＰＵＣＣＨ設定情報を受信し、ＰＨＲ（ｐｏｗｅｒ  ｈｅａｄｒｏｏｍ  ｒｅｐｏｒｔ）のトリガーを判断し、前記ＰＨＲがトリガーされると、第１アップリンク最大送信電力に基づいてＰＣｅｌｌ（ｐｒｉｍａｒｙ  ｃｅｌｌ）のためのｔｙｐｅ  １  ＰＨ（ｐｏｗｅｒ  ｈｅａｄｒｏｏｍ）を決定し、第２アップリンク最大送信電力に基づいて前記ＰＣｅｌｌのためのｔｙｐｅ  ２  ＰＨを決定し、第３アップリンク最大送信電力に基づいてＳＣｅｌｌ（ｓｅｃｏｎｄａｒｙ  ｃｅｌｌ）のためのｔｙｐｅ  １  ＰＨを決定するように制御する制御部と、を含み、
前記ＰＣｅｌｌのサブフレームで前記ＰＵＣＣＨを送信して前記ＰＵＳＣＨを送信しないと、前記第１アップリンク最大送信電力は、バックオフパラメータを０として適用して決定し、前記第２アップリンク最大送信電力は、実際のバックオフパラメータを適用して決定し、
前記ＳＣｅｌｌのサブフレームで前記ＰＵＳＣＨを送信しないと、前記第３アップリンク最大送信電力は、前記バックオフパラメータを０として適用して決定する端末。
【請求項１０】
前記ＰＣｅｌｌのための前記ｔｙｐｅ  ２  ＰＨは、前記ＰＵＳＣＨ−ＰＵＣＣＨ同時伝送に関連したＰＵＳＣＨ設定情報が設定されると、計算することを特徴とする、請求項９に記載の端末。
【請求項１１】
前記バックオフパラメータは、ＭＰＲ（ｍａｘｉｍｕｍ  ｐｏｗｅｒ  ｒｅｄｕｃｔｉｏｎ）又はＡ−ＭＰＲ（ａｄｄｉｔｉｏｎａｌ  ＭＰＲ）のうち少なくとも一つを含むことを特徴とする、請求項９に記載の端末。
【請求項１２】
前記端末が前記ＰＣｅｌｌのサブフレームで前記ＰＵＳＣＨ及び前記ＰＵＣＣＨをすべて送信しないと、バックオフパラメータを０として適用し、前記第１アップリンク最大送信電力及び前記第２アップリンク最大送信電力を決定することを特徴とする、請求項９に記載の端末。
【請求項１３】
前記端末が前記ＰＣｅｌｌのサブフレームで前記ＰＵＳＣＨを送信して前記ＰＵＣＣＨを送信しないと、実際のバックオフパラメータを適用し、前記第１アップリンク最大送信電力及び前記第２アップリンク最大送信電力を決定することを特徴とする、請求項９に記載の端末。
【請求項１４】
前記端末が前記ＰＣｅｌｌのサブフレームで前記ＰＵＳＣＨと前記ＰＵＣＣＨを送信すると、前記ＰＣｅｌｌのための前記ｔｙｐｅ  ２  ＰＨは、前記ＰＵＳＣＨと前記ＰＵＣＣＨとの実際の送信電力に基づいて獲得され、
前記端末が前記ＰＣｅｌｌのサブフレームで前記ＰＵＣＣＨは送信せず前記ＰＵＳＣＨは送信すると、前記ＰＣｅｌｌのための前記ｔｙｐｅ  ２  ＰＨは、前記ＰＵＳＣＨの実際の送信電力及び前記ＰＵＣＣＨの仮想送信電力に基づいて獲得され、
前記端末が前記サブフレームで前記ＰＵＳＣＨを送信しないと、前記ＰＣｅｌｌのための前記ｔｙｐｅ  ２  ＰＨは、前記ＰＵＳＣＨの仮想送信電力に基づいて獲得されることを特徴とする、請求項９に記載の端末。
【請求項１５】
前記ＰＵＳＣＨの仮想送信電力又は前記ＰＵＣＣＨの仮想送信電力は、ＭＰＵＳＣＨ及びΔＴＦを０に設定して計算することを特徴とする、請求項９に記載の端末。
【請求項１６】
ＰＨＲ周期タイマーが満了する場合、
ＰＨＲ禁止タイマーが満了し、ダウンリンクの経路損失が臨界値以上に変更される場合、又は
拡張ＰＨＲ設定後、アップリンク資源が割り当てられる場合、
前記ＰＨＲがトリガーされることを特徴とする、請求項９に記載の端末。